(57)【要約】【課題】主に、軒樋本体を溢れた雨水がオーバーフローする経路を特定し、最適に設定し得るようにする。【解決手段】軒先側と軒元側とにそれぞれ立上部４，５を有する軒樋本体６を備えた軒樋３に関する。  軒先側の立上部４を、軒元側の立上部５よりも低くしてオーバーフロー側立上部にする。  軒先側の立上部４の頂部から、軒先側へ延びる鍔部１１が延設されるようにする。  軒元側の立上部５の頂部に、軒先側へ延びる水返部２１が設けられても良い。  鍔部１１の軒先側の縁部に、水切部３１が設けられても良い。  鍔部１１は、上下方向に対する位置決め部４１を有しても良い。【選択図】図１
2019056279.tif 000002
【特許請求の範囲】
【請求項１】
軒先側と軒元側とにそれぞれ立上部を有する軒樋本体を備えた軒樋において、前記軒先側の立上部を、前記軒元側の立上部よりも低くしてオーバーフロー側立上部にすると共に、前記軒先側の立上部の頂部に、軒先側へ延びる鍔部が設けられていることを特徴とする軒樋。
【請求項２】
請求項１に記載の軒樋において、
前記軒元側の立上部の頂部に、軒先側へ延びる水返部が設けられていることを特徴とする軒樋。
【請求項３】
請求項１または請求項２に記載の軒樋において、
前記鍔部の軒先側の縁部に、水切部が設けられていることを特徴とする軒樋。
【請求項４】
請求項１ないし請求項３のいずれか１項に記載の軒樋において、
前記鍔部は、上下方向に対する位置決め部を有していることを特徴とする軒樋。
【請求項５】
請求項１ないし請求項４のいずれか１項に記載の軒樋を有することを特徴とする建物。
【発明の詳細な説明】
【技術分野】
【０００１】
この発明は、軒樋および建物に関するものである。
【背景技術】
【０００２】
戸建住宅などの建物には、屋根の下縁部に沿って軒樋を備えたものが存在している。この軒樋は、軒先側と軒元側とにそれぞれ立上部を有する側面視ほぼＵ字状などをした軒樋本体を備えている（例えば、特許文献１〜特許文献５参照）。
【先行技術文献】
【特許文献】
【０００３】
【特許文献１】特開昭６３−１９４０５８号公報
【特許文献２】実開昭５６−１７６２６３号公報
【特許文献３】特開平６−２０６８２号公報
【特許文献４】登録実用新案第３１８８３０１号
【特許文献５】実開平６−２０６８２号公報
【発明の概要】
【発明が解決しようとする課題】
【０００４】
しかしながら、特許文献１〜特許文献３などに記載されているように、軒樋は、一般的に、軒先側の立上部と軒元側の立上部とがほぼ同じ高さになっているので、排水トラブルなどによって軒樋本体から雨水が溢れた場合に、溢れた雨水が、どこからどのようにオーバーフローするのかを特定することができなかった。そのため、軒樋本体をオーバーフローした雨水が、例えば、小屋裏などへ入り込んで不具合を生じるなどのおそれがあった。
【０００５】
これに対し、特許文献４のものは、軒樋本体の底部にオーバーフロー管を設置することで、溢れた雨水をオーバーフロー管からオーバーフローさせ得るようにしていた。そのため、オーバーフロー管の設置に手間やコストがかかっていた。
【０００６】
また、特許文献５のものは、軒先側の立上部の途中に吐出口を設けて、吐出口から雨水をオーバーフローさせるようにしていた。しかし、軒樋本体の側面に直接吐出口などを設けることによって、軒樋本体が長手方向に対して不均一な形状になっていた。そのため、軒樋本体の製造に手間やコストがかかっていた。
【０００７】
そこで、本発明は、主に、上記した問題点を解決することを目的としている。
【課題を解決するための手段】
【０００８】
上記課題を解決するために、本発明は、軒先側と軒元側とにそれぞれ立上部を有する軒樋本体を備えた軒樋において、前記軒先側の立上部を、前記軒元側の立上部よりも低くしてオーバーフロー側立上部にすると共に、前記軒先側の立上部の頂部から、軒先側へ延びる鍔部が延設されていることを特徴とする。
【発明の効果】
【０００９】
本発明によれば、上記構成によって、軒樋本体を溢れた雨水がオーバーフローする経路を特定し最適に設定することなどができる。
【図面の簡単な説明】
【００１０】
【図１】本実施の形態にかかる軒樋を備えた建物の上部を示す拡大した縦断面図である。
【図２】図１の軒樋の端面図である。
【図３】（ａ）は図２の軒樋の側面図、（ｂ）は（ａ）の端面図である。
【図４】（ａ）は図２の軒樋の平面図、（ｂ）は（ａ）の端面図である。
【図５】軒樋の鍔部を位置決めする様子を示す側面図である。
【発明を実施するための形態】
【００１１】
以下、本実施の形態を、図面を用いて詳細に説明する。
図１〜図５は、この実施の形態を説明するためのものである。
【実施例１】
【００１２】
＜構成＞以下、構成について説明する。
【００１３】
図１は、戸建住宅などの建物１の上部を示す拡大断面図である。戸建住宅などの建物１は、屋根２の下縁部（水下側となる縁部）の位置に軒樋３を備えている。この軒樋３は、図２（〜図４）に示すように、軒先側と軒元側とにそれぞれ立上部４，５を有する軒樋本体６を備えている。
【００１４】
ここで、軒樋３は、側面視ほぼＵ字状をした金属製や樹脂製の部材である。或いは、軒樋３は、主に、上に開いた溝形状の部分から成る長尺の部材（排水部材）である。この実施例では、軒樋３は、軒樋本体６が、底面７と、軒先側の立上部４と、軒元側の立上部５とを一体に有する角型のものとなっている。軒樋本体６は、平滑な表面を有すると共に、均一肉厚のものとされている。軒樋３は、例えば、一枚の金属板を曲げ加工して形成することなどが可能な形状とされている。
【００１５】
軒樋３には、落し口３ａ（図４参照）が設けられる。落し口３ａは、軒樋本体６の底面７に形成される。軒樋３は、落し口３ａを介して縦樋に接続される。そのために、軒樋３は、落し口３ａへ向かって下り勾配に傾斜するように屋根２の下縁部に沿って設置される。
【００１６】
軒先側は、建物１から離れた側のことである。また、軒元側は、建物１に近い側のことである。立上部４，５は、ほぼ上方へ向かって延びる部分のことであり、軒樋３の側面を形成する側壁とされている。軒先側の立上部４および軒元側の立上部５は、軒樋３の長手方向の全域に亘ってほぼ均一な高さに形成される。
【００１７】
そして、上記のような基本的な構成に対し、この実施例は、以下のような構成を備えるようにする。
【００１８】
（１）軒先側の立上部４を、軒元側の立上部５よりも低くすることでオーバーフロー側立上部にする。
そして、軒先側の立上部４の頂部から、軒先側へ延びる鍔部１１が延設されるようにする。
【００１９】
ここで、軒先側の立上部４を、軒元側の立上部５よりも低くしたのは、排水トラブルなどによって軒樋本体６から雨水１５（図１参照）が溢れた場合に、溢れた雨水１５を軒先側の立上部４から積極的にオーバーフローさせると共に、軒元側の立上部５からは（可能な限り）オーバーフローさせないようにするためである。よって、軒先側の立上部４は、溢れた雨水１５が確実に軒先側の立上部４のみからオーバーフローされるように、軒元側の立上部５よりも十分に低くする必要がある。なお、軒樋３の立上部４，５は、一般的には雨水１５を溢れさせないようにするための側壁であるため、このような、溢れた雨水１５を軒先側の立上部４から積極的にオーバーフローさせるような使い方は、立上部４，５の本来の使い方とは異なるものである。
【００２０】
軒樋３は、屋根２の雨水１５を集めて縦樋へと案内する通常時の機能と、雨水１５が溢れた時にオーバーフローさせる排水トラブル時の機能とをバランス良く両立させるために、先ず、軒先側の立上部４を、一般的な軒樋とほぼ同等の流量を確保し得るような高さに設定する。次に、軒元側の立上部５を、この軒先側の立上部４よりも高くなるように設定する。これによって、軒先側の立上部４がオーバーフロー側立上部になると共に、軒元側の立上部５が非オーバーフロー側立上部となる。
【００２１】
必要な場合には、更に、軒樋３の底部を一般的な軒樋よりも広幅にすることで、軒先側の立上部４を、一般的な軒樋よりも低くできるようにして、全体的な形状バランスを整えるようにしても良い。これによって、軒樋３は、屋根２に対して見栄え良く取付け得るものになる。
【００２２】
そして、雨水１５を軒先側の立上部４から確実にオーバーフローさせるためには、軒先側の立上部４と軒元側の立上部５との間の高低差１６を最適に設定することが最も重要になるが、この高低差１６は、例えば、全国の雨量データや、軒樋３を設置する地域の雨量データなどに基づいて最適に設定することができる。
【００２３】
具体的には、高低差１６は、最低限、１０ｍｍ程度以上確保することが必要になる。より確実性を持たせるためには、高低差１６をより大きくして、例えば、２０ｍｍ〜４０ｍｍ程度などとするのが好ましい。この際、軒先側の立上部４が、例えば、軒元側の立上部５のほぼ６割〜７割程度の高さとなるようにするのがバランス的には好ましい。
【００２４】
鍔部１１は、軒先側の立上部４からオーバーフローした雨水１５を、軒先側の立上部４から離れた軒先側の位置まで円滑に導く導水板となるものである。鍔部１１は、軒先側の立上部４に一体に設けられる。軒先側の立上部４と鍔部１１とによってオーバーフロー部が構成される。
【００２５】
鍔部１１は、ほぼ水平にすることができるが、鍔部１１には、軒先側へ向かって下り傾斜となるような勾配１８を設けるのが好ましい。鍔部１１の勾配１８は、一般的な排水勾配と同程度にすれば良い。鍔部１１は、軒樋３の長手方向の全域に亘ってほぼ均一な幅に形成される。鍔部１１は、軒元側の立上部４の高さのほぼ半分程度の幅寸法を有する、比較的広幅のものなどとしても良い。
【００２６】
（２）軒元側の立上部５の頂部に、軒先側へ延びる水返部２１を設けても良い。
【００２７】
ここで、水返部２１は、軒元側の立上部５から雨水１５がオーバーフローしてしまうのを規制するための規制部（オーバーフロー規制部）である。水返部２１は、軒元側の立上部５に一体に設けられる。水返部２１は、軒先側へ向かってほぼ水平または若干上がり勾配または下がり勾配となるように延ばされて、軒樋本体６内の軒元側の部分の一部を覆うものとされる。水返部２１は、軒樋３の長手方向の全域に亘ってほぼ均一な幅に形成される。
【００２８】
なお、水返部２１の上面には、必要に応じて防水テープなどのような弾性変形が可能な厚手の防水材２５を製造時や施工時などに取付けることができる。防水材２５を取付ける場合には、水返部２１は、ほぼ水平または屋根２と平行な角度にするのが好ましい。
【００２９】
（３）鍔部１１の軒先側の縁部に、水切部３１を設けても良い。
【００３０】
ここで、水切部３１は、鍔部１１に沿って軒先側へ導かれた雨水１５を、鍔部１１から水切れさせて、狙った位置へ向けて流下させるための流下案内部である。水切部３１は、鍔部１１に一体に設けられる。水切部３１は、鍔部１１の軒先側の縁部からほぼ下方へ延びる屈曲縁などとすることができる。水切部３１は、軒樋３の長手方向の全域に亘ってほぼ均一な幅に形成される。
【００３１】
（４）鍔部１１は、上下方向に対する位置決め部４１を有しても良い。
【００３２】
ここで、位置決め部４１は、鍔部１１を上下方向に位置決めして、鍔部１１を、ほぼ水平な状態や、所要の勾配１８などを有して傾斜した状態などとなるように設置するためのものである。この実施例では、鍔部１１の軒先側に設けた水切部３１を、位置決め部４１として使用するようにしている。
【００３３】
水切部３１による鍔部１１の位置決めには、図５に示すような位置決め用の補助具４５を用いることができる。この補助具４５は、例えば、補助具本体４５ａと、補助具本体４５ａに設けられた位置規定部４５ｂとを有するものなどとすることができる。補助具本体４５ａは、例えば、後述する化粧材支持金具５９に設けた切欠部５９ａに嵌着可能なものなどとすることができる。位置規定部４５ｂは、例えば、水切部３１（位置決め部４１）を受けて上下方向に位置規定させるようにした側面視ほぼ横向きＣ字状のものなどとすることができる。鍔部１１に設けた位置決め部４１は、上下方向の位置決めに限らず、軒先方向に対する位置決めや長手方向に対する位置決めなどに用いるようにしても良い。
【００３４】
また、位置決め部４１は、水切部３１とは別の位置などに専用に設けても良い。また、位置決め用の補助具４５は、使用しても良いし、使用しなくて済むように構成しても良い。或いは、位置決め用の補助具４５は、上記したものとは異なる形状のものなどとしても良い。
【００３５】
（５）以下、上記軒樋３を有する建物１について説明する。
【００３６】
建物１は、例えば、図１に示すように、ユニット建物などとすることができる。ユニット建物は、予め工場で製造した建物ユニット５１を建築現場へ運んで、建築現場で組み立てることによって、短期間のうちに建物１を構築し得るようにしたものである。ユニット建物には、鉄骨系のものと、木質系のものとが存在している。この実施例では、鉄骨系のユニット建物としている。但し、建物１は、（鉄骨系の）ユニット建物に限るものではない。
【００３７】
そして、鉄骨系のユニット建物の場合、建物ユニット５１は、４本の柱の上端部間を４本の天井梁５２で矩形状に連結すると共に、４本の柱の下端部間を４本の床梁で矩形状に連結して成るボックスラーメン構造のユニットフレームを有している。ユニットフレームには、壁面を構成する外壁材５３などが取付けられる。
【００３８】
建物１では、建物本体の最上階に位置する建物ユニット５１を構成する天井梁５２の上部に、取付フレーム５５を介して、凹凸を有する折版屋根などの屋根２が設置される。屋根２は、下り勾配に傾斜させた状態で、建物ユニット５１よりも水下側などへ張り出すように取付けられる。
【００３９】
最上階の建物ユニット５１の水下側となる天井梁５２の側部には、横へ（即ち、外壁材５３と直交する方向へ）張り出すように庇形成アーム５６（支持部材）が取付けられる。この庇形成アーム５６は、軒樋３の長手方向に対し、所要の間隔を有して複数本取付けられる。
【００４０】
そして、この庇形成アーム５６の上部に、樋受金具５７を用いて、上記した軒樋３が設置される。樋受金具５７は、軒樋３の下部（底面７周辺）を収容可能なほぼＵ字状をして、庇形成アーム５６の上部にビスなどの固定部材５８などで（上下方向に）固定される。
【００４１】
軒樋３は、その下部を、樋受金具５７の内側に上方から嵌合した状態で保持される。そして、この状態で、庇形成アーム５６の軒先側に取付けられた上方へ延びる化粧材支持金具５９に対して、上記した補助具４５を用いて位置決め部４１を係止させることで、鍔部１１の位置決が行われる。その後、ビスなどの固定部材６０を用いて、化粧材支持金具５９と水切部３１とが、外側から軒元方向に固定される。
【００４２】
これにより、軒樋３は、屋根２から流下した雨水１５を受け得る位置（屋根２の水下側の縁部の真下の位置）に確実に設置される。この時、軒先側の立上部４は、屋根２の水下側の縁部よりも外側に位置され、軒元側の立上部５は、屋根２の水下側の縁部よりも内側に位置される。
【００４３】
この際、軒樋３は、軒元側の立上部５の頂部に設けた水返部２１の上面の防水材２５が、折版屋根などの屋根２の水下側の縁部近傍の下面に対して当接されることで、防水が行われる。
【００４４】
そして、庇形成アーム５６の下面には、軒天井材６２が取付けられる。軒天井材６２は、例えば、ロックウールなどで構成された防火材となっている。
【００４５】
更に、屋根２の水下側の縁部近傍の上面と、軒天井材６２との間に、軒樋３を外側から囲うように化粧材６３を取付けても良い。この化粧材６３は、複数に分割して構成することができる。この実施例では、化粧材６３は、上部片６４と、中間片６５と、下部片６６とに３分割されている。
【００４６】
このうち、上部片６４は、化粧材支持金具５９の上部に支持固定されると共に、軒樋３を上方から覆うための庇カバー６７によって屋根２と連結されている。中間片６５は、上部片６４と下部片６６との間に設置され、主に、化粧材支持金具５９の中間部に支持固定されている。下部片６６は、庇形成アーム５６の軒先側の端部（先端部）と軒天井材６２との間に取付けられている。下部片６６は、側方から見て段差形状を有するものとなっており、その上部が庇形成アーム５６の先端部に当接可能な当接固定部６６ａとなっている。下部片６６は、その下部が当接固定部６６ａから軒先側へ突出すると共に、庇形成アーム５６の先端部や下部などから離間した状態で軒天井材６２の側へと回り込む離間部６６ｂなどとなっている。
【００４７】
そして、少なくとも、中間片６５の下部と下部片６６の上部とは、上下方向に一部重なるように設けられて、この重なり部分の間に、化粧材６３の内部や小屋裏などを換気するための換気部６８が設けられている。換気部６８は、中間片６５の下部と下部片６６の上部とを僅かに離間させて成る換気スリットなどとすることができる。この換気部６８は、庇形成アーム５６の先端部（の上半部）よりも軒先側の位置で、且つ、軒樋３の軒先側の立上部４（の頂部の鍔部１１）よりも低く、軒天井材６２よりも高い位置（または、軒樋本体６の底面７とほぼ同じか、それよりも若干低い位置など）に設けられている。
【００４８】
そして、換気部６８には、軒先側の立上部４からオーバーフローした雨水１５の流下（排水）を案内する流下案内部６９（水切部）、または、外部からの雨水の入り込みを防止するための水返部を設けることができる。この換気部６８と流下案内部６９とで換気水切部が構成される。
【００４９】
流下案内部６９として、中間片６５の下部には、軒元側へ向けてほぼ水平または僅かな下り勾配を有して横へ延びる横延出部６９ａが設けられている。また、流下案内部６９として、下部片６６の当接固定部６６ａの上端部よりも若干低い位置には、軒先側へ向けてほぼ水平または僅かな下り勾配を有して横へ延びる横延出部６９ｂが設けられている。横延出部６９ｂと、横延出部６９ａとは、横方向に一部重なると共に、上下方向に間隔を有するように設置されている。更に、横延出部６９ｂには、その先端部および中間部からそれぞれ下方へ延びる下延出部６９ｃ，６９ｄが前後に離して一対設けられている。加えて、下部片６６の当接固定部６６ａの上端部は、オーバーフローした雨水１５の軒天井材６２側への回り込みを防止するための立壁状の上延出部とされている。この上延出部は、庇形成アーム５６の上部よりも高い位置までへ延ばされている。
【００５０】
そして、横延出部６９ｂおよび軒先側の下延出部６９ｃが横延出部６９ａに対し上方に間隔を有して位置し、軒元側の下延出部６９ｄが横延出部６９ａに対し軒元側に間隔を有して位置することで、ラビリンス状の流下案内部６９を形成している。
【００５１】
このような、化粧材６３の換気部６８および流下案内部６９に対し、軒樋３の鍔部１１の軒先側の縁部は、流下案内部６９（の横延出部６９ｂにおける上延出部よりも軒先側の部分）の上方に達する位置まで延ばされると共に、水切部３１は、換気部６８（の横延出部６９ｂ）へ向けて下方へ屈曲されている。これにより、換気部６８は、軒樋３からオーバーフローした雨水１５の排出口（換気水切部）としても使用可能なものとなる。
【００５２】
＜作用＞以下、この実施例の作用について説明する。
【００５３】
屋根２に降った雨水１５は、屋根２に沿って水下側へと流れて行き、軒樋３に集められる。軒樋３に集められた雨水１５は、通常の場合、軒樋３に設けられた落し口３ａから縦樋へ導かれて排水されるようになっている。
【００５４】
しかし、例えば、縦樋や、軒樋３の縦樋への落し口３ａなどに詰まりが生じるなどによって排水トラブルが発生した場合には、縦樋への排水ができなくなり、軒樋３に雨水１５が溜まって、軒樋３が溢れることになる。
【００５５】
軒樋本体６から溢れた雨水１５が、例えば、軒元側の立上部５からオーバーフローすると、オーバーフローした雨水１５が小屋裏へ入り込むおそれがある。また、溢れた雨水１５が、例えば、軒先側の立上部４からオーバーフローする際に、破線で示すように軒樋本体６の外側を伝わって流下すると、軒天井材６２の上などへ流下して軒天井材６２に染み込むおそれがある。
【００５６】
軒天井材６２は、保水性を有するロックウールなどでできているので、含水すると、雨が止んだ後に継続的に雨垂れが発生する原因となることがある。よって、軒樋本体６から溢れた雨水１５の経路を特定できるようにしておくこと、および、溢れた雨水１５が小屋裏や軒天井材６２へ向かわない経路にしておくことは重要である。
【００５７】
＜効果＞この実施例によれば、以下のような効果を得ることができる。
【００５８】
（効果１）軒先側の立上部４を、軒元側の立上部５よりも低くした。これにより、軒樋本体６から雨水１５が溢れた場合に、溢れた雨水１５を、確実に軒先側の立上部４からオーバーフローさせることができる。
【００５９】
そして、軒先側の立上部４の頂部に、軒先側へ延びる鍔部１１を延設するようにした。これにより、軒先側の立上部４からオーバーフローした雨水１５を鍔部１１に沿って軒先側へと導き、軒樋本体６から軒先側に十分に離れた位置へ円滑に排水させることができる。
【００６０】
そのため、軒樋本体６から溢れた雨水１５の排水経路を確保して最適なものとすることができるので、例えば、軒樋本体６から溢れた雨水１５が軒元側の立上部５からオーバーフローして、小屋裏へ入り込んだり、軒天井材６２に染み込んだりするなどの不具合を防止することが可能になる。
【００６１】
この際、軒樋本体６の断面形状を工夫するだけでオーバーフローした雨水１５の排水経路を特定したり、自由に設定したりできるので、排水経路を設けるために、例えば、オーバーフロー管などを設ける必要をなくすことができ、その分、オーバーフロー管などを設置するための手間や部品コストを削減することができる。また、例えば、軒先側の立上部４の途中に吐出口などのような形状の異なる部分を設ける必要がなくなり、その分、軒樋本体６を長手方向に均一な形状にして、軒樋本体６を、手間をかけずに安価に製造可能なものとすることができる。
【００６２】
なお、軒先側の立上部４と軒元側の立上部５との高低差１６は、軒元側の立上部５からのオーバーフローが生じ難くなるようにするために必要な最低限の大きさとしたり、或いは、軒元側の立上部５からのオーバーフローをより確実に防止し得るような余裕を持った大きさなどとしたりすることができる。
【００６３】
（効果２）軒元側の立上部５の頂部に、軒先側へ延びる水返部２１を設けても良い。水返部２１は、軒樋本体６の内部における雨水１５の水位が軒元側の立上部５の頂部の位置まで達した時に、軒元側の立上部５の周辺を上側から塞ぐようにするものである。これにより、軒元側の立上部５から雨水１５がオーバーフローするのを、水返部２１によって有効に防止することができる。この際、水返部２１を、軒元側の立上部５の頂部に一体に設けたほぼ横方向の内側へ向けて延びる屈曲部とすることで、水返部２１を、容易に形成することができる。また、水返部２１の上面に防水テープなどのような弾性変形が可能な厚手の防水材２５を取付けることで、屋根２に対する防水を容易に行うことができる。
【００６４】
（効果３）鍔部１１の軒先側の縁部に、水切部３１を設けても良い。水切部３１は、鍔部１１の軒先側の縁部に達した雨水１５の方向を変更してほぼ真下へ向かわせるものである。これにより、軒先側の立上部４からオーバーフローし、鍔部１１を介して軒先側へ導かれた雨水１５を水切部３１によって確実に鍔部１１から水切れさせることができる。よって、軒先側の立上部４からオーバーフローした雨水１５の排水を促進すると共に、オーバーフローした雨水１５が軒樋本体６の外側を伝わって流れる（伝い水が発生する）のを防止することができる。この際、水切部３１を、鍔部１１の軒先側の縁部に一体に設けたほぼ下方へ延びる屈曲縁とすることで、水切部３１を、容易に形成することができる。
【００６５】
（効果４）鍔部１１には、上下方向に対する位置決め部４１を設けても良い。位置決め部４１は、鍔部１１の上下方向の位置を正確に規定するものである。これにより、位置決め部４１を用いて鍔部１１を上下方向に位置決めすることで、鍔部１１を確実に、水平な状態や、または、所要の勾配１８を有する状態などに安定して取付けることができる。この際、鍔部１１の軒先側に設けた水切部３１を位置決め部４１として使用することで、構造の合理化や集約化などを図ることができる。
【００６６】
（効果５）この実施例の建物１によれば、上記軒樋３を有することにより、上記軒樋３と同様の作用効果を得ることができる。
【００６７】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６８】
１      建物
３      軒樋
４      軒先側の立上部
５      軒元側の立上部
６      軒樋本体
１１    鍔部
１５    雨水
２１    水返部
３１    水切部
４１    位置決め部
【図１】
2019056279.tif 000003
【図２】
2019056279.tif 000004
【図３】
2019056279.tif 000005
【図４】
2019056279.tif 000006
【図５】
2019056279.tif 000007